(57)【要約】  ユーザ端末がアイドル状態であっても、ビームフォーミングを適切に行うことができるようにすること。ビームフォーミングを利用する無線基地局と通信するユーザ端末であって、単一又は複数のビームパターンを用いて送信される同期信号及び／又は報知チャネルと、ページングチャネルと、を受信する受信部と、前記同期信号及び／又は報知チャネルの割り当てリソースに基づいて、前記ページングチャネルの少なくとも一部を受信するように制御する制御部と、を有する。
2018025946.tif 000002
【特許請求の範囲】
【請求項１】
ビームフォーミングを利用する無線基地局と通信するユーザ端末であって、
単一又は複数のビームパターンを用いて送信される同期信号及び／又は報知チャネルと、ページングチャネルと、を受信する受信部と、
前記同期信号及び／又は報知チャネルの割り当てリソースに基づいて、前記ページングチャネルの少なくとも一部を受信するように制御する制御部と、を有することを特徴とするユーザ端末。
【請求項２】
前記受信部は、ページングメッセージの有無を通知する共通制御チャネルを前記同期信号及び／又は報知チャネルが割当てられるシンボルと同じシンボルで受信することを特徴とする請求項１に記載のユーザ端末。
【請求項３】
前記制御部は、前記同期信号及び／又は報知チャネルが送信されるサブフレームのうち、一部のサブフレームで前記共通制御チャネルを受信するように制御することを特徴とする請求項２に記載のユーザ端末。
【請求項４】
前記受信部は、前記共通制御チャネルによりスケジューリングされるページングメッセージを、前記共通制御チャネルが割当てられるサブフレームと異なるサブフレームで受信することを特徴とする請求項２に記載のユーザ端末。
【請求項５】
前記受信部は、ビームフォーミングの適用方法に関する情報を受信し、前記制御部は、前記ビームフォーミングの適用方法に関する情報に基づいて前記同期信号及び／又は報知チャネルと、前記ページングチャネルの受信を制御することを特徴とする請求項１に記載のユーザ端末。
【請求項６】
ビームフォーミングを利用する無線基地局と通信するユーザ端末の通信方法であって、
単一又は複数のビームパターンを用いて送信される同期信号及び／又は報知チャネルと、ページングチャネルと、を受信する工程と、
前記同期信号及び／又は報知チャネルの割り当てリソースに基づいて、前記ページングチャネルの少なくとも一部を受信するように制御する工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
ＬＴＥ  Ｒｅｌ．１０／１１では、広帯域化を図るために、複数のコンポーネントキャリア（ＣＣ：Component  Carrier）を統合するキャリアアグリゲーション（ＣＡ：Carrier  Aggregation）が導入されている。各ＣＣは、ＬＴＥ  Ｒｅｌ．８のシステム帯域を一単位として構成される。また、ＣＡでは、同一の無線基地局（ｅＮＢ：eNodeB）の複数のＣＣがユーザ端末（ＵＥ：User  Equipment）に設定される。【０００４】
一方、ＬＴＥ  Ｒｅｌ．１２では、異なる無線基地局の複数のセルグループ（ＣＧ：Cell  Group）がＵＥに設定されるデュアルコネクティビティ（ＤＣ：Dual  Connectivity）も導入されている。各セルグループは、少なくとも一つのセル（ＣＣ）で構成される。ＤＣでは、異なる無線基地局の複数のＣＣが統合されるため、ＤＣは、基地局間ＣＡ（Inter-eNB  CA）などとも呼ばれる。【０００５】
また、既存のＬＴＥシステム（例えば、ＬＴＥ  Ｒｅｌ．８−１３）では、ユーザ端末の電力消費を低減するために、アイドル状態（idle  mode）において間欠受信（ＤＲＸ：Discontinuous  Reception）の動作がサポートされている。また、アイドル状態のユーザ端末は、セル再選択のためのＲＳＲＰ／ＲＳＲＱ測定、ページングチャネル（ＰＣＨ）のモニタリング／受信等をＤＲＸサイクルに基づいて制御する。ページングチャネル（Paging  channel）によって着信、報知情報（システム情報）の変更、ＥＴＷＳ等がユーザ端末に通知される。
【先行技術文献】
【非特許文献】
【０００６】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００７】
将来の無線通信システム（例えば、５Ｇ、ＮＲ）は、様々な無線通信サービスを、それぞれ異なる要求条件（例えば、超高速、大容量、超低遅延など）を満たすように実現することが期待されている。【０００８】
例えば、５Ｇでは、ｅＭＢＢ（enhanced  Mobile  Broad  Band）、ＩｏＴ（Internet  of  Things）、ＭＴＣ（Machine  Type  Communication）、Ｍ２Ｍ（Machine  To  Machine）、ＵＲＬＬＣ（Ultra  Reliable  and  Low  Latency  Communications）などと呼ばれる無線通信サービスの提供が検討されている。なお、Ｍ２Ｍは、通信する機器によって、Ｄ２Ｄ（Device  To  Device）、Ｖ２Ｖ（Vehicle  To  Vehicle）などと呼ばれてもよい。上記の多様な通信に対する要求を満たすために、新しい通信アクセス方式（Ｎｅｗ  ＲＡＴ（Radio  Access  Technology））を設計することが検討されている。【０００９】
５Ｇでは、例えば１００ＧＨｚという非常に高い搬送波周波数を用いてサービス提供を行うことが検討されている。一般的に、搬送波周波数が増大するとカバレッジを確保することが難しくなる。理由としては、距離減衰が激しくなり電波の直進性が強くなることや、超広帯域送信のため送信電力密度が低くなることに起因する。【００１０】
そこで、高周波数帯においても上記の多様な通信に対する要求を満たすために、超多素子アンテナを用いる大規模ＭＩＭＯ（Massive  MIMO（Multiple  Input  Multiple  Output））を利用することが検討されている。超多素子アンテナでは、各素子から送信／受信される信号の振幅及び／又は位相を制御することで、ビーム（アンテナ指向性）を形成することができる。当該処理はビームフォーミング（ＢＦ：ビーム  Forming）とも呼ばれ、電波伝播損失を低減することが可能となる。【００１１】
ビームフォーミングを適用する無線基地局は、各ユーザ端末に対してそれぞれ適切な送信ビーム（ビームパターン）を適用して信号の送信及び／又は受信を行うことにより通信を適切に行うことができる。一方で、無線基地局は、アイドル状態のユーザ端末について、いずれのビームパターンが適切であるか判断することができない。そのため、アイドル状態のユーザ端末等に対し、ビームフォーミングを利用した好適な信号の送信及び／又は受信方法が望まれる。【００１２】
本発明はかかる点に鑑みてなされたものであり、ユーザ端末がアイドル状態であっても、ビームフォーミングを適切に利用することができるユーザ端末及び無線通信方法を提供することを目的の１つとする。
【課題を解決するための手段】
【００１３】
本発明の一態様に係るユーザ端末は、ビームフォーミングを利用する無線基地局と通信するユーザ端末であって、単一又は複数のビームパターンを用いて送信される同期信号及び／又は報知チャネルと、ページングチャネルと、を受信する受信部と、前記同期信号及び／又は報知チャネルの割り当てリソースに基づいて、前記ページングチャネルの少なくとも一部を受信するように制御する制御部と、を有することを特徴とする。
【発明の効果】
【００１４】
本発明によれば、ユーザ端末がアイドル状態であっても、ビームフォーミングを適切に利用することができる。
【図面の簡単な説明】
【００１５】
【図１】既存システムにおけるページング情報の送受信方法の一例を示す図である。
【図２】既存システムにおけるページング情報の割当て方法の一例を示す図である。
【図３】図３Ａは、シングルＢＦの一例を示し、図３Ｂは、マルチプルＢＦの一例を示す図である。
【図４】図４Ａは、シングルＢＦの一例を示し、図４Ｂ、図４Ｃは、マルチプルＢＦの一例を示す図である。
【図５】同期信号を割当てた各シンボルに異なるビームパターンを適用した状態を示す図である。
【図６】同期信号及び／又は報知チャネルを検出したシンボルのみにおいて、共通制御チャネルを検出する第１の態様を説明する図である。
【図７】第３の態様のリソース配置を示す図である。
【図８】ページングメッセージと共通制御チャネルを別サブフレームで送信する第４の態様を説明する図である。
【図９】図９Ａは異なるユーザ端末のページングチャネルを時間方向（サブフレーム）に分散したリソース配置図、図９Ｂは異なるユーザ端末のページングチャネルを時間方向（スロット）に分散したリソース配置図、図９Ｃは異なるユーザ端末のページングチャネルを周波数方向に分散したリソース配置図である。
【図１０】図１０Ａは１４ビーム以上に対応したページングチャネルのリソース配置図、図１０Ｂ及び図１０Ｃは７ビームに対応したページングチャネルのリソース配置図、図１０Ｄは１ビームに対応したページングチャネルのリソース配置図である。
【図１１】シングルビームアプローチの場合のページングチャネルのリソース配置図である。
【図１２】図１２Ａは１ビームに対応したページングチャネルのモニタリング方法を示す図、図１２Ｂは２ビームに対応したページングチャネルのモニタリング方法を示す図、図１２Ｃは７ビームに対応したページングチャネルのモニタリング方法を示す図、図１２Ｄは１４ビームに対応したページングチャネルのモニタリング方法を示す図である。
【図１３】本発明の一実施形態に係る無線通信システムの概略構成の一例を示す図である。
【図１４】本発明の一実施形態に係る無線基地局の全体構成の一例を示す図である。
【図１５】本発明の一実施形態に係る無線基地局の機能構成の一例を示す図である。
【図１６】本発明の一実施形態に係るユーザ端末の全体構成の一例を示す図である。
【図１７】本発明の一実施形態に係るユーザ端末の機能構成の一例を示す図である。
【図１８】本発明の一実施形態に係る無線基地局及びユーザ端末のハードウェア構成の一例を示す図である。
【発明を実施するための形態】
【００１６】
図１は、既存のＬＴＥシステム（Ｒｅｌ．１３以前）におけるページング情報の送受信の一例を示している。既存のＬＴＥシステムでは、ＲＲＣ接続状態（ＲＲＣ  ｃｏｎｎｅｃｔｅｄ）のユーザ端末と、ＲＲＣアイドル状態（ＲＲＣ  ｉｄｌｅ  ｍｏｄｅ）のユーザ端末に対して、ページング情報（Paging  message）を利用したシステム情報の変更通知がサポートされている。
【００１７】
既存のＬＴＥシステムでは、ＲＲＣアイドル状態のユーザ端末は、あらかじめ定義されたページングタイミングにおいて、下り制御チャネル（ＰＤＣＣＨ）の共通サーチスペース（Ｃｏｍｍｏｎ  ＳＳ）で送信される下り制御情報（ＤＣＩ）を検出する。そして、当該ＤＣＩに含まれるスケジューリング（ＤＬ割当て）情報に基づいて、下り共有チャネル（ＰＤＳＣＨ）で送信されるページングメッセージを取得する。なお、ＤＣＩとしては、ページング用の識別子（Ｐ−ＲＮＴＩ）でスクランブルされたＤＣＩ（ＤＣＩフォーマット１Ａ、又はＤＣＩフォーマット１Ｃ）が用いられる。
【００１８】
無線基地局が送信するページングメッセージには、各ユーザ端末に対するページングレコード（Paging  Record）、システム情報の変更指示情報（例えば、SystemInfoModification）、ＥＴＷＳ（Earthquake  and  Tsunami  Warning  System）、ＣＭＡＳ（Commercial  Mobile  Alert  Service）、ＥＡＢ（Extended  Access  Barring）等の通知を含めることができる。
【００１９】
ユーザ端末がページングチャネルの検出を行うページングタイミングは、Ｐ−ＲＮＴＩでスクランブルされたＤＣＩが送信されるサブフレームを示すページングオケージョン（ＰＯ：Paging  Occasion）と、ＰＯが含まれる無線フレーム（ＰＦ：Paging  Frame）に基づいて設定される。ユーザ端末は、ＰＯ及びＰＦに基づいてページングチャネルの検出（モニター）を行う。アイドル状態のユーザ端末は、ページングチャネルをモニタする必要のある期間だけ受信動作（ＤＲＸ）を行い、その他の期間はスリープ状態又は省電力状態とすることにより、消費電力を低減することができる。なお、ページングチャネルは、Ｐ−ＲＮＴＩでスクランブルされたＤＣＩを送信する下り制御チャネルと、当該ＤＣＩで割当てが指示され、ページングメッセージを送信する下り共有チャネルと、を含む構成と考えてもよい。
【００２０】
各ユーザ端末のページングタイミング（ＰＦとＰＯ）は、ＩＭＳＩ（International  Mobile  Subscriber  Identity）、ページングサイクル（Ｔ）、変数（ｎＢ）によって定義される。一例として、ＦＤＤを適用するあるユーザ端末は、ＤＲＸサイクルが１２８無線フレーム、ｎＢ＝Ｔの場合、該当無線フレームにおける所定サブフレーム（例えば、サブフレーム＃９）でページングチャネルの受信処理を行うように制御する（図２参照）。なお、ＦＤＤの場合、図２において同期信号（ＰＳＳ／ＳＳＳ）はサブフレーム＃０、＃５で送信され、ＭＩＢ（Master  Information  Block）が割当てられる報知チャネル（ＰＢＣＨ）はサブフレーム＃０で送信される。
【００２１】
このように、既存のＬＴＥシステムでは、所定パラメータ（ＩＭＳＩ、ページングサイクル（Ｔ）、変数（ｎＢ））により決定されるページングタイミングでページングチャネルの受信動作を行う。
【００２２】
ところで、将来の無線通信システム（例えば、５Ｇ、ＮＲ）は、様々な無線通信サービスを、それぞれ異なる要求条件（例えば、超高速、大容量、超低遅延など）を満たすように実現することが期待されている。例えば、将来の無線通信システムでは、上述したように、ビームフォーミング（ＢＦ：Beam  Forming）を利用して通信を行うことが検討されている。
【００２３】
ＢＦは、デジタルＢＦ及びアナログＢＦに分類できる。デジタルＢＦは、ベースバンド上で（デジタル信号に対して）プリコーディング信号処理を行う方法である。この場合、逆高速フーリエ変換（ＩＦＦＴ：Inverse  Fast  Fourier  Transform）／デジタル−アナログ変換（ＤＡＣ：Digital  to  Analog  Converter）／ＲＦ（Radio  Frequency）の並列処理が、アンテナポート（RF  chain）の個数だけ必要となる。一方で、任意のタイミングで、ＲＦ  ｃｈａｉｎ数に応じた数だけビームを形成できる。
【００２４】
アナログＢＦは、ＲＦ上で位相シフト器を用いる方法である。この場合、ＲＦ信号の位相を回転させるだけなので、構成が容易で安価に実現できるが、同じタイミングで複数のビームを形成することができない。具体的には、アナログＢＦでは、位相シフト器ごとに、一度に１ビームしか形成できない。
【００２５】
このため、基地局（例えば、ｅＮＢ（evolved  Node  B）、ＢＳ（Base  Station）などと呼ばれる）が位相シフト器を１つのみ有する場合には、ある時間において形成できるビームは、１つとなる。したがって、アナログＢＦのみを用いて複数のビームを送信する場合には、同じリソースで同時に送信することはできないため、ビームを時間的に切り替えたり、回転させたりする必要がある。
【００２６】
なお、デジタルＢＦとアナログＢＦとを組み合わせたハイブリッドＢＦ構成とすることも可能である。将来の無線通信システム（例えば、５Ｇ）では、大規模ＭＩＭＯの導入が検討されているが、膨大な数のビーム形成をデジタルＢＦだけで行うとすると、回路構成が高価になってしまう。このため、５ＧではハイブリッドＢＦ構成が利用されると想定される。
【００２７】
ＢＦ動作としては、１つのＢＦを利用するシングルＢＦ動作（Single  BF  operation）、複数のＢＦを利用するマルチプルＢＦ動作（Multiple  BF  operation）がある（図３、図４参照）。シングルＢＦ動作を用いたＵＬ送信では、複数のユーザ端末間でＵＬのビームが直交する（衝突を避ける）ように直交プリアンブル（Orthogonal  preambles）が適用される（図３Ａ、図４Ａ参照）。
【００２８】
マルチプルＢＦ動作を用いたＵＬ送信では、複数のユーザ端末間でＵＬのビームが直交する（衝突を避ける）ようにＢＦを適用する。例えば、時間方向において異なるビームパターンを適用しながら（スイープしながら）複数回送信することが考えられる（図３Ｂ、図４Ｂ、Ｃ参照）。図４Ｂは、無線基地局（ｅＮＢとも呼ぶ）におけるマルチプルＢＦ動作の一例を示し、図４Ｃは、無線基地局とユーザ端末におけるマルチプルＢＦ動作の一例を示している。
【００２９】
ところで、既存のＬＴＥシステムでは、無線基地局は、ＵＥの有無に関わらず、セル検出（セルサーチ）、初期アクセスなどのための信号（例えば、同期信号（ＳＳ：Synchronization  Signal）、ブロードキャストチャネル（ＢＣＨ：Broadcast  Channel）、システム情報（ＳＩ：System  Information）など）を周期的に送信する必要があった。
【００３０】
カバレッジ拡張を実現するためには、これらの信号全てに対して、異なるＢＦ（ビームパターン）を適用しながら（スイープしながら）複数回送信することが考えられる（図５参照）。図５は、１サブフレームに含まれる異なるリソース（ここでは、各シンボル）に対し、異なるビームパターンを適用した同期信号を割当てる場合を示している。ユーザ端末は、各シンボルにおいて受信処理を行うことにより、１４シンボルのうちいずれかのシンボルにおいて自端末に好適なビームが適用された信号を受信できる。また、ユーザ端末の初期アクセス完了後は、無線基地局とユーザ端末間で適切なビーム（ユーザ端末が受信した同期信号に対応するビームパターン）を用いた通信を行うことができる。
【００３１】
同期信号等にビームフォーミングを適用してカバレッジを拡張する場合、ページングチャネルに対しても同様のビーム（ビームパターン）を適用しないとユーザ端末にページングチャネルが届かないおそれが生じる。したがって、ページングチャネルに対してもビームフォーミングを適用することが考えられる。しかし、無線基地局は、アイドル状態のユーザ端末に適したビームパターンが分からないため、同期信号と同様に、異なるビームパターンが適用されたページングチャネルを異なるリソースにそれぞれマッピングして送信（ビーム  sweeping）する必要がある。
【００３２】
この場合、既存のページングチャネルのマッピング方法及び検出方法を適用すると、既存の下り制御チャネル（ＰＤＣＣＨ）を繰り返し送信した後にページングメッセージを送信する下り共有チャネルを繰り返し送信することになる。これにより、ユーザ端末がページングチャネルを検出する（起きている）期間が長くなり、バッテリー消費が増加するおそれがある。また、無線基地局がシングルビームを適用する場合と、マルチビームを適用する場合に、ユーザ端末動作をどのように制御するかが問題となる。
【００３３】
そこで、本発明者等は、ページングチャネルにＢＦを適用する場合に、同じようにＢＦが適用される他の信号／チャネル（例えば、同期信号及び／又は報知チャネル）に着目し、当該他の信号／チャネルの割当て位置（ユーザ端末が検出した位置）に基づいてページングチャネルの割当て（受信動作）を制御することを着想した。
【００３４】
例えば、本実施の形態の一態様は、ページングチャネルの一部（例えば、ページングメッセージの有無を通知する共通制御チャネル）を同期信号及び／又は報知チャネルが送信されるシンボルと同じシンボルで送信する。ユーザ端末は、同期信号を検出したシンボルにおいて、共通制御チャネルを検出するように受信処理を行う。
【００３５】
また、本実施の形態の他の態様は、ユーザ端末に対してビームフォーミングの適用方法に関する情報を通知し、ユーザ端末が通知された情報に基づいてページングチャネルの検出方法を制御する。
【００３６】
以下、本発明に係る実施形態について、図面を参照して詳細に説明する。各実施形態に係る無線通信方法は、それぞれ単独で適用されてもよいし、組み合わせて適用されてもよい。
【００３７】
なお、本明細書において、複数のビーム（ビームパターン）が異なるとは、例えば、複数のビームにそれぞれ適用される下記（１）−（６）のうち、少なくとも１つが異なる場合を表すものとするが、これに限られるものではない。（１）プリコーディング、（２）送信電力、（３）位相回転、（４）ビーム幅、（５）ビームの角度（例えば、チルト角）、（６）レイヤ数。なお、プリコーディングが異なる場合、プリコーディングウェイトが異なってもよいし、プリコーディングの方式（例えば、線形プリコーディングや非線型プリコーディング）が異なってもよい。ビームに線型／非線型プリコーディングを適用する場合は、送信電力や位相回転、レイヤ数なども変わり得る。
【００３８】
線形プリコーディングの例としては、ゼロフォーシング（ＺＦ：Zero-Forcing）規範、正規化ゼロフォーシング（Ｒ−ＺＦ：Regularized  Zero-Forcing）規範、最小平均二乗誤差（ＭＭＳＥ：Minimum  Mean  Square  Error）規範などに従うプリコーディングが挙げられる。また、非線形プリコーディングの例としては、ダーティ・ペーパ符号化（ＤＰＣ：Dirty  Paper  Coding）、ベクトル摂動（ＶＰ：Vector  Perturbation）、ＴＨＰ（Tomlinson  Harashima  Precoding）などのプリコーディングが挙げられる。なお、適用されるプリコーディングは、これらに限られない。
【００３９】
（第１の態様）
第１の態様では、ページングチャネルの一部（例えば、ページングメッセージの有無を通知する共通制御チャネル）を同期信号及び／又は報知チャネルが送信されるシンボルと同じシンボルで送信する。
【００４０】
図６は、ページングチャネルを含むサブフレームにおいて、シンボル単位で異なるビームフォーミングを適用した際のリソース配置を示している。同期信号及び／又は報知チャネル、ページングメッセージの有無を通知する共通制御チャネル、及びページングメッセージ（ＰＣＨ）が同一シンボル上に配置されている。図６に示すように、無線フレームにおいて、所定規則に基づいた間隔でページングチャネルが含まれるサブフレーム＃１、＃Ｎが送信される。例えば、１サブフレームは１４シンボルで構成されている。１サブフレームを構成する各シンボル上に、同期信号及び／又は報知チャネル、共通制御チャネル、及びページングメッセージ（ＰＣＨ）が周波数方向に多重されている。１サブフレームでは、同じ同期信号及び／又は報知チャネル、共通制御チャネル、及びページングメッセージ（ＰＣＨ）が、異なるビームフォーミングで１４回繰り返し送信される。
【００４１】
各シンボルにおいて、同期信号及び又は報知チャネルは、周波数リソースｆ１にマッピングされている。報知チャネルはＭＩＢが割当てられた報知チャネルである。ページングメッセージの有無を通知する共通制御チャネル（共通制御チャネルのサーチスペース）は、周波数リソースｆ２及び／又はｆ３にマッピングされている。共通制御チャネルは、例えばＰ−ＲＮＴＩでスクランブリングされたＤＣＩがマッピングされたＰＤＣＣＨである。ページングメッセージ（ＰＣＨ）は、周波数リソースｆ４にマッピングされている。ページングメッセージ（ＰＣＨ）は物理チャネル（ＰＤＳＣＨ）にマッピングして送信することができる。
【００４２】
第１の態様では、同一シンボル上の周波数領域に同期信号及び／又は報知チャネル（ＭＩＢ）、ページングメッセージの有無を通知する共通制御チャネル、及びページングメッセージ（ＰＣＨ）がマッピングされている。また、上記共通制御チャネルをマッピングする周波数リソースｆ２及び／又はｆ３は、同期信号及び／又はＭＩＢがマッピングされる周波数リソースｆ１を中心に一定の範囲内又は所定のリソース範囲内に限定される。共通制御チャネルの周波数リソースｆ２、ｆ３を探索する範囲は、同期信号及び／又はＭＩＢがマッピングされる周波数リソース（例えば、中心周波数）を基準にして仕様で定められてもよいし、ＲＲＣシグナリングで通知されてもよい。
【００４３】
具体的には、ＰＯとなるサブフレーム＃１、＃Ｎ等を構成する１４シンボルのそれぞれに異なるビームフォーミング（ビーム＃１からビーム＃１４）を適用することができる（図６参照）。無線基地局は、ＰＯとなるサブフレームを構成する各シンボルに異なるビームフォーミング（ビーム＃１からビーム＃１４）を適用し、各シンボルに多重された同期信号及び又はＭＩＢ、ページングチャネル（ページングメッセージ及びページングメッセージをスケジューリングする共通制御チャネル）を異なるビームで繰り返し送信する。
【００４４】
アイドル状態のユーザ端末は、ＤＲＸ制御の下で、同期信号及び／又は報知チャネルを検出したシンボルのみにおいて、ページングメッセージの有無を通知する共通制御チャネルをモニタするように動作することができる。ページングメッセージの有無を通知する共通制御チャネルは、同期信号及び／又は報知チャネルと同一シンボルで送信する規範を設けることで、同期信号及び／又は報知チャネルを検出したシンボルのみをモニタしただけで、共通制御チャネルを検出できる。
【００４５】
具体的には、ユーザ端末は、受信部及び制御部を有する。受信部は、単一又は複数のビームで送信される同期信号及び／又は報知チャネルと、ページングチャネルと、を受信する。制御部は、ページングチャネルの少なくとも一部を、同期信号及び／又は報知チャネルが割当てられるサブフレームと同じサブフレームで受信するように制御する。図６に示すように異なるシンボルで異なるビームフォーミング（ビーム＃１からビーム＃１４）を適用して信号を送信している場合、ユーザ端末では、自身の方向に向いているビームで吹かれた信号のみが検出される。図６に示す具体例では、第８シンボルに適用されたビームフォーミング（ビーム＃８）で吹かれた信号のみが検出されている。
【００４６】
無線基地局は、全てのシンボルに対して異なるビームフォーミングを適用すると共に、ページングメッセージの有無を通知する共通制御チャネルを、同期信号及び／又はＭＩＢと同一サブフレームの同一シンボル上で送信している。
【００４７】
ユーザ端末は、同期信号及び／又は報知チャネル（ＭＩＢ）の受信動作において、同期信号及び／又はＭＩＢを検出した無線リソース（シンボル位置及び周波数リソース）を認識する。そして、ユーザ端末は、その同期信号及び／又はＭＩＢを検出したシンボルと同一シンボル（図６の第８シンボル）のみをページングチャネル検出用にモニタし、ページングメッセージをスケジューリングした共通制御チャネルを検出すればよい。
【００４８】
このとき、ユーザ端末は、同期信号及び／又はＭＩＢを検出したシンボルと同一シンボル上を周波数方向にサーチする。共通制御チャネルが配置され得る周波数範囲（サーチスペース）を制限すれば、ユーザ端末の負担を軽減できる。そこで、第１の態様では、同期信号及び／又はＭＩＢに割り当てられる周波数リソース（図６の周波数ｆ１）を中心に一定の範囲内、又は所定のリソース範囲内に、共通制御チャネルのリソース（サーチスペース）を制限する。但し、ページングメッセージの有無を通知する共通制御チャネルをマッピングする周波数リソースを、同期信号がマッピングされる周波数リソースを基準とした範囲に限定することは必須ではない。
【００４９】
ユーザ端末は、同期信号及び／又はＭＩＢを検出したシンボルと同一シンボル上を周波数方向にサーチして共通制御チャネルを検出し、共通制御チャネルからページングメッセージの有無を検出する。そして、ページングメッセージの送信が明示されていれば、同期信号及び／又はＭＩＢを検出したシンボルと同一シンボル（図６の第８シンボル）の周波数リソースｆ４からページングメッセージを取得する。ページングメッセージの周波数リソースｆ４は、共通制御チャネルで指示されてもよい。
【００５０】
このように、第１の態様によれば、アイドル状態のユーザ端末は、同期信号及び／又はＭＩＢの検出結果に基づいて決定したリソースである同一シンボル上の周波数領域だけをモニタして共通制御チャネルを受信することができる。この結果、ページングチャネルが含まれるサブフレーム内の全てのシンボル（全ビーム）をサーチして共通制御チャネルを検出する必要がないので、バッテリー消費を低減できる。
【００５１】
また、第１の態様によれば、ページングメッセージの有無を通知する共通制御チャネルがマッピングされる周波数リソースが、同期信号及び／又はＭＩＢがマッピングされる周波数リソースを中心に一定の範囲内又は所定のリソース範囲内に限定されるので、共通制御チャネルをサーチするために全帯域をモニタリングしなくてもよく、バッテリー消費を低減できる。また、同期信号及び共通制御チャネルを中心以外の周波数リソースで送信したい場合にも、同期信号がマッピングされた周波数リソースを中心に所定範囲をサーチすればよいので、これによってもバッテリー消費を低減できる。
【００５２】
（第２の態様）
第２の態様は、同期信号及び／又は報知チャネル（ＭＩＢ）が含まれる全てのサブフレームでページングチャネルも送信するのではなく、その中の一部のサブフレームのみでページングチャネルを送信する。
【００５３】
無線基地局は、ページングチャネルを同期信号及び／又はＭＩＢと同一シンボルにマッピングする規範は第１の態様と同様に維持し、その上で、ページングチャネルを送信するサブフレーム密度を、同期信号及び／又はＭＩＢを送信するサブフレーム密度よりも低密度に設定する。これにより、同期信号及び／又はＭＩＢが含まれる一部のサブフレームでは、同期信号が配置されたシンボルと同じシンボル上にページングチャネルがマッピングされなくなり、その分だけ容量に余裕ができる。
【００５４】
具体的には、無線基地局は、所定規則に基づいた第１の周期（例えば、５サブフレーム周期）で同期信号及び／又はＭＩＢが含まれるサブフレームを送信し、ページングチャネルが含まれるサブフレームは第１の周期よりも長い第２の周期（例えば、１０サブフレーム周期）で送信する。このとき、ページングチャネルが含まれるサブフレームには、必ず同期信号及び／又はＭＩＢが含まれるように、サブフレーム間隔を制御する。ページングチャネルが送信されるサブフレームは、システムフレーム番号（ＳＦＮ）とサブフレームインデックスから特定してもよい。ページングチャネルが含まれるサブフレームは、１サブフレームを構成する各シンボル上に、同期信号及び／又は報知チャネル、共通制御チャネル、及びページングメッセージ（ＰＣＨ）が周波数多重されている（図６と同様）。
【００５５】
アイドル状態のユーザ端末は、ＤＲＸサイクルに基づいて所定周期で同期信号及び／又はＭＩＢを検出する。ユーザ端末は、システムフレーム番号（ＳＦＮ）とサブフレームインデックスから特定されたＰＯとなるサブフレームにおいてページングチャネルを受信する。図６に示すように１サブフレームを構成する各シンボルに異なるビームフォーミング（ビーム＃１からビーム＃１４）が適用されていれば、自身の方向に向いているビーム（図６のビーム＃８）で吹かれた信号のみが検出される。
【００５６】
アイドル状態のユーザ端末は、ページングチャネルが含まれたサブフレームにおいて、自分に向けられたビーム（例えばビーム＃８）で吹かれた信号（第８シンボル）を受信できる。ユーザ端末の制御部は、ページングチャネルが含まれたサブフレームの受信動作において、第８シンボル上の周波数リソースｆ１から同期信号及び／又はＭＩＢを検出し、検出結果に基づいて決定したリソース（同一シンボル：第８シンボル）からページングメッセージの有無を通知する共通制御チャネルをサーチする。第１の態様と同様に、ページングメッセージの有無を通知する共通制御チャネルをマッピングする周波数リソースは、同期信号及び／又はＭＩＢがマッピングされる周波数リソースを基準とした所定範囲としてもよいし、そのような範囲制限が無くてもよい。
【００５７】
第２の態様によれば、同期信号及び／又はＭＩＢが含まれる一部のサブフレームでは、同期信号が配置されたシンボルと同じシンボル上にページングチャネルがマッピングされないので、その分だけ容量に余裕ができ、例えばページングチャネルに代えてＭＩＢ以外のシステム情報を送信することができる。
【００５８】
（第３の態様）
第３の態様は、同期信号及び／又はＭＩＢが含まれるサブフレーム以外のサブフレームでページングチャネルを送信するが、サブフレームは異なっていても同期信号及び／又はＭＩＢが割り当てられたシンボル（シンボルインデックス）とページングチャネル（少なくとも一部）が割り当てられたシンボル（シンボルインデックス）とを一致させる。なお、同期信号及び／又はＭＩＢが含まれるサブフレームと、ページングチャネルが含まれるサブフレームとは、同じシンボルインデックスのシンボルに対して同じビームフォーミングが適用されている。
【００５９】
図７に示すリソース配置は、同期信号及び／又はＭＩＢが含まれるサブフレーム＃Ｎにおいてページングチャネルが含まれず、同期信号及び／又はＭＩＢが含まれない別のサブフレーム＃Ｎ＋１において、ページングチャネルが含まれるリソース配置の一例である。サブフレーム＃Ｎにおいて、同期信号及び／又はＭＩＢは異なるシンボルでは異なるビームフォーミングが適用されている（ビーム＃１〜ビーム＃１４）。また、ページングチャネルが含まれるが同期信号及び／又はＭＩＢが含まれないサブフレーム＃Ｎ＋１において、ページングチャネルは異なるシンボルでは異なるビームフォーミングが適用されている（ビーム＃１〜ビーム＃１４）。同期信号及び／又はＭＩＢが含まれるサブフレーム＃Ｎと、ページングチャネルが含まれるサブフレーム＃Ｎ＋１とは、同一シンボルインデックスでは同一のビームフォーミングが適用される。
【００６０】
無線基地局は、同期信号及び／又はＭＩＢが含まれる各サブフレーム（例えば、図７のＳＦ＃Ｎ）において、各シンボル上の周波数リソースｆ１には同期信号及び／又はＭＩＢをマッピングするが、当該サブフレーム内の同一シンボル及び他のシンボルにもページングチャネルはマッピングしない。一方、ページングチャネルが含まれるサブフレーム（例えば、図７のＳＦ＃Ｎ＋１）において、上記した同期信号及び／又はＭＩＢがマッピングされたシンボルと同一シンボルインデックスのシンボル上には、ページングメッセージの有無を通知する共通制御チャネルが割り当てられ、さらに当該シンボル上にページングメッセージ（ＰＣＨ）が割り当てられる。
【００６１】
無線基地局は、同期信号及び／又はＭＩＢが含まれる各サブフレーム（ＳＦ＃Ｎ）において、各シンボルに異なるビームフォーミング（ビーム＃１からビーム＃１４）を適用して送信し、ページングチャネルが含まれるサブフレーム（ＳＦ＃Ｎ＋１）においても、各シンボルに異なるビームフォーミング（ビーム＃１からビーム＃１４）を適用して送信する。
【００６２】
アイドル状態のユーザ端末は、ＤＲＸサイクルに基づいて所定周期で同期信号及び／又はページングチャネルの検出を試みる。ユーザ端末の受信部において、あるタイミングでは同期信号及び／又はＭＩＢが含まれるサブフレームを受信し、システムフレーム番号（ＳＦＮ）とサブフレームインデックスから特定されたＰＯとなるタイミング等ではページングチャネルを含むサブフレームを受信する。ユーザ端末の制御部は、同期信号及び／又はＭＩＢが含まれるサブフレームの受信動作では、自身の方向に向いているビーム（例えば、図７に示すビーム＃８）で吹かれた信号のみが検出される。ユーザ端末は、同期信号及び／又はＭＩＢが含まれるサブフレーム（ＳＦ＃Ｎ）において、例えばビーム＃８で吹かれた信号（第８シンボル）を受信し、第８シンボルにおける周波数リソースｆ１から同期信号及び／又はＭＩＢを検出する。制御部は、同期信号及び／又はＭＩＢを検出したシンボルのシンボルインデックス及び周波数リソースを保持する。
【００６３】
一方、ユーザ端末の制御部は、ページングチャネルを含むサブフレーム（ＳＦ＃Ｎ＋１）の受信動作では、例えばビーム＃８で吹かれた信号（第８シンボル）を受信し、同期信号及び／又はＭＩＢを検出したシンボルのシンボルインデックスと同一シンボルから、ページングメッセージの有無を通知する共通制御チャネルをサーチする。共通制御チャネルが割り当てられる周波数リソースは、第１の態様と同様に同期信号及び／又はＭＩＢがマッピングされる周波数リソースを基準とした所定範囲としてもよいし、そのような範囲制限が無くてもよい。ページングメッセージの有無を通知する共通制御チャネルは、同期信号及び／又はＭＩＢのシンボルインデックスと同一インデックスのシンボルにマッピングされているので、ユーザ端末は他のすべてのシンボルをサーチすることなく、ページングメッセージの有無を通知する共通制御チャネルを検出できる。ユーザ端末の制御部は、共通制御チャネルからページングメッセージの有無を検出し、ページングメッセージが有ることを示す情報があった場合、共通制御チャネルと同一シンボルにおいて、共通制御チャネル情報に基づいてページングメッセージがマッピングされた周波数リソースからページングメッセージを取得する。
【００６４】
第３の態様によれば、同期信号及び／又はＭＩＢが含まれるサブフレーム以外のサブフレームでページングチャネルを送信可能になり、ページングチャネル送信方法の柔軟性を向上できる。
【００６５】
（第４の態様）
第４の態様は、ページングメッセージ（ＰＣＨ）とそれをスケジューリングする共通制御チャネルとを、異なるシンボル上又は異なるサブフレーム上で送信可能とする。ページングメッセージをスケジューリングする共通制御チャネルと同期信号及び／又はＭＩＢを検出したシンボルとの対応関係は第１から第３の態様と同様である。
【００６６】
第１から第３の態様では、ページングチャネルを構成するページングメッセージ（ＰＣＨ）とそれをスケジューリングする共通制御チャネル（ページングメッセージの有無を通知するチャネル）とを同じサブフレームの同一シンボル上に割り当てる例を説明した。第４の態様は、ページングメッセージ（ＰＣＨ）とそれをスケジューリングする共通制御チャネルとの対応関係として、次のパターンを提供する。
【００６７】
（１）同一サブフレームで、同一シンボル上に割り当てる（第１から第３の態様に示すパターン）。
（２）同一サブフレームで、別のシンボル上に割り当てる。図６に示すように１サブフレーム内の全てのシンボルに異なるビームフォーミングを適用している場合、隣接シンボル又は近傍シンボル以外は、ユーザ端末において一方のシンボルを検出できない可能性がある。したがって、ページングメッセージ（ＰＣＨ）とそれをスケジューリングする共通制御チャネルとを別のシンボルに割りてる場合は、隣接シンボル又は近傍シンボルであることが望ましい。また、１サブフレーム内の異なるシンボルに同じビームフォーミングを適用している場合、シンボルは異なるが、同じビームフォーミングを適用しているシンボルにページングメッセージ（ＰＣＨ）とそれをスケジューリングする共通制御チャネルとを割り当てる。
（３）異なるサブフレームで、同一シンボルインデックスのシンボルに割り当てる。この場合、ページングメッセージ（ＰＣＨ）を割り当てるサブフレームと、そのページングメッセージをスケジューリングする共通制御チャネルを割り当てるサブフレームとは、同じシンボルインデックスに同じビームフォーミングが適用されているものとする。
（４）異なるサブフレームで、異なるシンボルインデックスのシンボルに割り当てる。この場合、ＰＯ／ＰＦは共通制御チャネルのサブフレームを指すことになる。共通制御チャネル内で指示することにより、ページングメッセージ（ＰＣＨ）は任意のサブフレームに置くことが出来る。また、このとき、ページングメッセージ（ＰＣＨ）を含むサブフレームは、ビームパターン毎に別々でもよく、ページングメッセージ（ＰＣＨ）のマッピングは１シンボルではなく他のＰＤＳＣＨと同じように複数シンボルにまたがってもよい。
（５）同期信号及び又はＭＩＢと共通制御チャネルが別サブフレームに割り当てられ、さらにページングメッセージ（ＰＣＨ）と共通制御チャネルも別サブフレームに割り当てられてもよい。
【００６８】
図８は上記（３）のパターンの具体例を示す図である。サブフレーム＃Ｎにおいてページングメッセージをスケジューリングする共通制御チャネルが送信され、別のサブフレーム＃Ｎ＋１において共通制御チャネル（サブフレーム＃Ｎで送信）でスケジューリングされたページングメッセージが送信される。サブフレーム＃Ｎ及び＃Ｎ＋１では、各シンボルに異なるビームフォーミング（ビーム＃１からビーム＃１４）が適用されていて、同一シンボルインデックス（例えば、第２シンボルのシンボルインデックス＃２）には同一のビームフォーミング（例えば、第２シンボルにはビーム＃２）が適用されている。
【００６９】
サブフレーム＃Ｎでは、同期信号及び／又はＭＩＢがマッピングされるシンボルと同じシンボル（第２シンボル）に、ページングメッセージをスケジューリングする共通制御チャネルがマッピングされる。同期信号及び／又はＭＩＢは周波数リソースｆ１にマッピングされ、共通制御チャネルは同一シンボルの異なる周波数リソースｆ２及び／又はｆ３にマッピングされているが、当該サブフレーム＃Ｎにページングメッセージはマッピングされていない。
【００７０】
サブフレーム＃Ｎ＋１では、各シンボルの周波数リソースｆ５にページングメッセージ（ＰＣＨ）がマッピングされている。このページングメッセージは、サブフレーム＃Ｎにおいて送信された共通制御チャネルによってスケジューリングされたページングチャネルの一部である。
【００７１】
ユーザ端末は、異なるタイミングで受信されるサブフレーム＃Ｎ及びサブフレーム＃Ｎ＋１に対して次の受信動作を実行する。ユーザ端末の受信部は、サブフレーム＃Ｎに対する受信動作では、自身の方向に向いているビーム（図８のビーム＃２）で吹かれた信号のみが受信される。ユーザ端末の受信部は、例えばビーム＃２で吹かれた信号（第２シンボル）を受信し、ユーザ端末の制御部は、第２シンボルにおける周波数リソースｆ１から同期信号及び／又はＭＩＢを検出する。さらに、同期信号及び／又はＭＩＢを検出したシンボルと同一シンボル上からページングメッセージの有無を通知する共通制御チャネルを検出し、ページングメッセージのスケジューリング情報を取得する。ここでは、ページングメッセージ有の情報が取得された場合を説明する。
【００７２】
ユーザ端末の受信部は、サブフレーム＃Ｎ＋１に対する受信動作では、サブフレーム＃Ｎと同様に、自身の方向に向いているビーム（図８のビーム＃２）で吹かれた信号が検出される。ユーザ端末の受信部は、ビーム＃２で吹かれた信号（第２シンボル）を受信する。ユーザ端末の制御部は、同期信号及び／又はＭＩＢを検出したシンボルと同一シンボルインデックスを有する第２シンボルにおける周波数リソースｆ５をサーチしてページングメッセージを検出する。
【００７３】
（第５の態様）
第５の態様は、異なるユーザ端末が異なるリソース（サブフレーム又はスロット）でページングメッセージを読みに行くことを可能とする。これにより、各ページングメッセージのサイズを抑え、ページングの容量を上げることができる。
【００７４】
第１の態様から第４の態様では、ビームを変えながら異なるリソースで同じページングメッセージを送信している。このため、ページングメッセージの送信に使うリソースが増大する傾向がある。例えば、図６を参照して説明した第１の態様では、１つのユーザ端末に対するページングチャネルに着目しているが、ページングチャネルが含まれるサブフレーム＃１で、複数のユーザ端末のページングメッセージ（ＰＣＨ）が多重される可能性がある。この場合、サブフレーム＃１の各シンボル上に複数のユーザ端末のページングメッセージがそれぞれ多重される。
【００７５】
第５の態様は、異なるユーザ端末が異なるリソース（サブフレーム又はスロット）へページングメッセージを読みに行くように制御するために、複数のユーザ端末に対するページングメッセージを時間方向（サブフレーム又はスロット）及び／又は周波数方向に分散する。これにより、複数のユーザ端末がページングメッセージを読みに行くリソース（サブフレーム又はスロット）が分散され、１シンボルに多重されるページングメッセージのサイズを小さくできる。
【００７６】
無線基地局は、複数のユーザ端末に対して同期信号及び／又は報知チャネル（ＭＩＢ）を第１の態様から第４の態様と同様にして送信する。例えば、第１の態様と同様にして、サブフレーム＃１において全てのシンボル上でシンボル毎に異なるビームフォーミング（ビーム＃１からビーム＃１４）を適用して同期信号及び／又はＭＩＢを送信する。ページングチャネルの少なくとも一部（ページングメッセージ、ページングメッセージをスケジューリングする共通制御チャネル）を送信するリソースは、ユーザ端末が重ならないように又はユーザ多重数が少なくなるように、時間方向（サブフレーム又はスロット）及び又は周波数方向に分散させる。
【００７７】
具体的には、各ユーザ端末のＵＥ−ＩＤに紐づけて、ＰＦ及びＰＯを計算してページングチャネルを含むサブフレームを決定することにより、ページングチャネルを送信するサブフレーム（ユーザ端末）を分散させることができる。なお、ページングチャネルを送信するサブフレームの各シンボルについて、同期信号及び／又はＭＩＢが含まれるサブフレームと同じビームフォーミングが各シンボルに適用されているものとする。この結果、図９Ａに示すように、ページングチャネルを送信するサブフレーム＃１ではユーザ端末＃１のみのページングチャネルが送信され、次にページングチャネルを送信するサブフレーム＃Ｎでは異なるユーザ端末＃２のみのページングチャネルが送信される。
【００７８】
ユーザ端末＃１は、自分に向けられたビームから同期信号及び／又はＭＩＢが含まれるサブフレームを受信する。そして、受信サブフレームのいずれかのシンボルから同期信号及び／又はＭＩＢを検出する。同期信号及び／又はＭＩＢを検出したシンボルを保持して、別のサブフレームで送信されるページングチャネルのサーチに使用する。ユーザ端末＃１は、自端末のＵＥ−ＩＤに基づいてＰＦ及びＰＯを計算し、その計算結果から自端末に割り当てられたページングチャネルを含むサブフレームとしてサブフレームを認識する（例えば、サブフレーム＃１）。
【００７９】
ユーザ端末＃１は、ページングチャネル送信サブフレームとしてサブフレーム＃１を受信する。ユーザ端末＃１の制御部は、先に受信したサブフレームにて同期信号及び／又はＭＩＢを検出したシンボルと同一シンボルから、ページングメッセージの有無を通知する共通制御チャネルを検出する。同一シンボルインデックスは同一ビームフォーミングが適用されていると仮定して、同期信号と同様に共通制御チャネルを検出する。さらに、ページングメッセージ有の場合は、共通制御チャネルの情報から同一シンボル上の周波数リソースからページングメッセージを検出する。
【００８０】
これにより、１つのシンボルに多重できるページングメッセージのサイズは制限されるので、１つのシンボルに多重されるユーザ数を、ＵＥ−ＩＤによって分散させ、ページングの容量を上げることができる。
【００８１】
図９Ａには複数のユーザ端末に対するページングチャネルを複数のサブフレーム＃１、＃Ｎに分散させているが、図９Ｂに例示するように、１つのサブフレーム内においてスロット間でユーザ分散させることもできる。
【００８２】
無線基地局は、前半スロットと後半スロットで同じビームパターンセットを使用する。前半スロットを構成する７シンボルに対して異なるビームフォーミング（ビーム＃１からビーム＃７）を適用し、後半スロットを構成する７シンボルに対して前半スロットと同じビームパターンセットであるビームフォーミング（ビーム＃１からビーム＃７）を適用する。無線基地局は、ページングチャネルを送信するサブフレームにおいても、上記同様に前半スロットと後半スロットで同じビームパターンセット（ビーム＃１からビーム＃７）を使用する。
【００８３】
ユーザ端末は、前半スロット及び後半スロットで自分に向けられたビームを受信し、同期信号及び／又はＭＩＢが含まれるサブフレームを受信する。そして、受信サブフレームのいずれかのシンボルから同期信号及び／又はＭＩＢを検出する。ＭＩＢには無線基地局が設置したページングチャネルのスロット割り当て情報を含めた構成としてもよい。ユーザ端末＃１は、自端末のＵＥ−ＩＤに基づいてＰＦ及びＰＯを計算し、その計算結果から自端末に割り当てられたページングチャネル送信サブフレームとしてサブフレーム＃１を認識する。
【００８４】
さらに、ユーザ端末は、ＭＩＢに含まれた情報から自端末のページングチャネルが前半スロット又は後半スロットのいずれにマッピングされているかを判断する。ユーザ端末＃１は、先に受信したサブフレームにて同期信号及び／又はＭＩＢを検出したシンボルと同一シンボルから、ページングメッセージの有無を通知する共通制御チャネルを検出する。同一シンボルインデックスは同一ビームフォーミングが適用されていると仮定すれば、同期信号と同様に共通制御チャネルを検出できる。さらに、ページングメッセージ有の場合は、共通制御チャネルの情報から同一シンボル上の周波数リソースからページングメセージを検出する。
【００８５】
なお、上記の説明では、異なるユーザ端末を時間方向（サブフレーム、スロット）に分散させているが、ＵＥ−ＩＤに紐づけて周波数方向で異なるリソースで共通制御チャネルあるいはページングメセージ（ＰＣＨ）を読みにいくようにしてもよい。例えば、図９Ｃに示すように、同期信号及び／又はＭＩＢをマッピングした第２シンボル＃２上に、ユーザ端末＃１と別のユーザ端末＃２のページングチャネルをマッピングする。
【００８６】
ユーザ端末＃１は、自己のＵＥ−ＩＤから制御チャネルが割り当てられた周波数リソースｆ２が計算され、別のユーザ端末＃２は、自己のＵＥ−ＩＤから制御チャネルが割り当てられる周波数リソースｆ３が計算されるように制御する。ユーザ端末＃１は、ｆ２で検出した下り制御情報に基づいてｆ４のページングメッセージを受信し、ユーザ端末＃２は、ｆ３で検出した下り制御情報に基づいてｆ６のページングメッセージを受信することができる。時間方向のユーザ分散と周波数方向のユーザ分散を組み合せてもよいし、動的に切り替えられるようにしてもよい。
【００８７】
（第６の態様）
第６の態様では、ページングメッセージの有無及びリソースを通知する共通制御チャネルを用いず、ユーザ端末が直接ページングメッセージ（ＰＣＨ）を読みに行く仕組みを提供する。ページングメッセージ（ＰＣＨ）が割り当てられるリソースは、同期信号及び又はＭＩＢ等に対して相対位置を仕様で固定してもよいし、又は同期信号及び又はＭＩＢ等を使ってユーザ端末へ指示するようにしてもよい。さらに、ＵＥ−ＩＤ等に紐づけて異なるユーザ端末が異なるＰＣＨリソース（ページングメッセージが割り当てられるリソース）位置を想定できるようにしてもよい。
【００８８】
以上説明したように、第１の態様から第６の態様は、同期信号及び又は報知チャネルの検出結果に基づいて、ページングチャネルをモニタするリソースが決まるという概念を含んでいる。このことは、図１０Ａ、図１０Ｂ、図１０Ｃ、図１０Ｄに例示する種々のビーム数のように、ビーム数に依らず、当該概念を適用可能である。図１０Ａは、１４ビーム以上の場合を示しており、図１０Ｂ及び図１０Ｃは７ビームの場合を例示している。図１０Ｄは１ビームの場合を示している。
【００８９】
（第７の態様）
第７の態様は、無線基地局からユーザ端末に対して、ビームフォーミング方法を通知する。例えば、無線基地局は、ＭＩＢ又はＭＩＢに相当するシステム情報を含む共通制御チャネルの中で、マルチビームアプローチ又はシングルビームアプローチをユーザ端末に通知し、ユーザ端末はその情報に応じてページングチャネルの検出方法を変更する。具体的には、無線基地局からユーザ端末に対するビームフォーミング方法の通知として、ビーム数を通知しても良いし、事前に規定された複数のアプローチの中から適用アプローチに対応したインデックスを通知してもよい。
【００９０】
第１の態様から第６の態様で説明した手順は、マルチビームアプローチとシングルビームアプローチの両方に共通の手順として適用できるが、シングルビームアプローチの場合には実際には同期信号は１シンボルでしか送信しないため、例えばページングメッセージ（ＰＣＨ）を同期信号が含まれるサブフレーム内の他のシンボル（同じ周波数領域）で送ることもできる。これにより、同期信号と別サブフレームでページングメッセージ（ＰＣＨ）を送る場合よりもＤＲＸを効率化できる。
【００９１】
シングルビームアプローチの場合は、より効率的なページング動作が可能である。そこで、ユーザ端末に対してシステム情報の中でどちらのアプローチかを通知し、ユーザ端末のページング受信動作を変更する。例えば、シングルビームアプローチの場合は、図１１のようにページングメッセージ（ＰＣＨ）をスケジューリングする共通制御チャネルのリソース位置をマルチビームアプローチで使用したリソース位置から変更する。
【００９２】
図１１に示すように、シングルビームアプローチの場合、ページングメッセージが含まれるサブフレームの先頭シンボルにＭＩＢに相当するシステム情報を含む共通制御チャネルのサーチスペースを配置し、共通制御チャネルよりも後方のシンボル（例えば第７シンボル）に同期信号及び又はＭＩＢをマッピングする。そして、同期信号及び又はＭＩＢの受信タイミングと異なるシンボルタイミング（例えば、第２シンボルから第６シンボル、又は第８シンボルから第１２シンボル）にページングメッセージ（ＰＣＨ）をマッピングする。本例であれば、複数シンボルにページングメッセージ（ＰＣＨ）をマッピングすることができる。共通制御情報チャネル及びページングメッセージ（ＰＣＨ）をマッピングする周波数リソースは、同期信号及び又はＭＩＢがマッピングされる周波数リソースと同じ領域を使用している。
【００９３】
無線基地局は、ＭＩＢ又はＭＩＢに相当するシステム情報を含む共通制御チャネルの中でマルチビームアプローチ又はシングルビームアプローチを通知する。例えば、シングルビームアプローチを適用する場合、図１１に示すようにサブフレームの前半シンボル（図１１には先頭シンボルのケースを例示）で送信するＭＩＢ又はＭＩＢに相当するシステム情報を含む共通制御チャネルの中に、シングルビームアプローチを適用することを示す情報を含める。そして、無線基地局は、シングルビームアプローチに適した形式として図１１に示すリソース配置で、ＭＩＢ（又はＭＩＢに相当するシステム情報を含む共通制御チャネル）、同期信号及び／又はＭＩＢ、ページングメッセージ（ＰＣＨ）を送信する。一方、マルチビームアプローチを適用する場合、ＭＩＢ又はＭＩＢに相当するシステム情報を含む共通制御チャネルの中に、マルチビームアプローチを適用することを示す情報を含める。そして、無線基地局は、マルチビームアプローチに適した形式として上記第１の態様から第６の態様のいずれかに基づいたページングチャネル送信方法（リソース配置）で、ＭＩＢ（又はＭＩＢに相当するシステム情報を含む共通制御チャネル）、同期信号及び／又はＭＩＢ、ページングメッセージ（ＰＣＨ）を送信する。
【００９４】
ユーザ端末は、シングルビームアプローチが適用されている場合、図１１に示すサブフレームの先頭シンボルでＭＩＢ又はＭＩＢに相当するシステム情報を含む共通制御チャネルを検出し、シングルビームアプローチが適用されていることを認識し、シングルビームアプローチに対応したページングチャネルの受信動作を実行する。ユーザ端末は、図１１に示すリソース配置であれば、第７シンボルで同期信号及び／又はＭＩＢを検出し、同期信号を検出したシンボルとは異なるシンボルにマッピングされたページングメッセージ（ＰＣＨ）を検出する。ページングメッセージ（ＰＣＨ）を割り当てたシンボル位置はＭＩＢに含めた情報で通知してもよい。
【００９５】
一方、ユーザ端末は、マルチビームアプローチが適用されている場合、第１の態様から第６の態様のいずれかに基づいた受信動作を実行する。すなわち、自分に向けられたビームから同期信号及び／又はＭＩＢが含まれるサブフレームを受信する。そして、受信したサブフレームのいずれかのシンボルから同期信号及び／又はＭＩＢを検出する。同期信号及び又はＭＩＢの検出結果に基づいて、ページングチャネルをモニタするリソースを決定し、ページングチャネル情報をサーチする。
【００９６】
上記の通り、ユーザ端末は、ＭＩＢ又はＭＩＢに相当するシステム情報を含む共通制御チャネルの中で通知されるマルチビームアプローチ又はシングルビームアプローチに従い、ページングチャネルのモニタリング方法を変更する。図１２Ａ、図１２Ｂ、図１２Ｃ、図１２Ｄは、ビーム数に対応したページングチャネルのモニタリング方法を示している。
【００９７】
図１２Ａは、シングルビームアプローチを適用する場合のページングチャネルのモニタリング方法を示しており、図１１を参照して説明した通りである。図１２Ｂは、ページングチャネルを含むサブフレームの前半スロットに第１のビーム（ビーム＃１）を適用し、後半スロットに第２のビーム（ビーム＃２）を適用した例である。前半スロットの先頭シンボル、後半スロットの先頭シンボルにＭＩＢ又はＭＩＢに相当するシステム情報を含む共通制御チャネルを配置してアプローチ方法を通知し、前半スロットの最終シンボル、後半スロットの最終シンボルに同期信号及び／又はＭＩＢを配置する。そして、前半スロットの中間シンボル、後半スロットの中間シンボルにページングメッセージを配置するリソース配置を想定したページングチャネルのモニタリング方法である。
【００９８】
図１２Ｃは、２シンボル毎にビームを異ならせて７ビーム（ビーム＃１からビーム＃７）を適用した例である。２シンボルセットのうち、先頭（前半）シンボルにＭＩＢ又はＭＩＢに相当するシステム情報を含む共通制御チャネルを配置してアプローチ方法を通知し、最終（後半）シンボルに同期信号及び／又はＭＩＢを配置すると共に、ページングメッセージを配置するリソース配置を想定したページングチャネルのモニタリング方法である。
【００９９】
図１２Ｄは、マルチビームアプローチを適用する場合のページングチャネルのモニタリング方法を示しており、第１の態様において図６を参照して説明したリソース配置を想定したページングチャネルのモニタリング方法である。
【０１００】
ところで、ページングメッセージ（ＰＣＨ）やそれをスケジューリングする共通制御チャネルは収容するＵＥ（5G  standalone）しか読まない。５Ｇ  Non-standalone  UE（LTE-assisted前提）も仕様化される方向で標準化が進んでおり、そのようなＵＥにとってはページングメッセージ（ＰＣＨ）やそれをスケジューリングする共通制御チャネルを含むサブフレームでも影響を受けずに動作できることが望ましい。ページングメッセージ（ＰＣＨ）やそれをスケジューリングする共通制御チャネルを避けてリソース割当がされればよいが、連続する広帯域を割り当てたい場合にはページングメッセージ（ＰＣＨ）等と重なるリソースを抜かすような指示が必要となる。ＤＣＩでそれをやろうとするとリソース割当が複雑になり必要なビット数が増える。
【０１０１】
そこで、ＲＲＣシグナリングでページングメッセージ（ＰＣＨ）等を含むリソースについてレートマッチングすることをnon-standalone  UEに指示できるようにする。この場合、RB単位のレートマッチングでもよいし、指示されたRB内の特定のシンボル、REに対するレートマッチングでもよい。どのシンボル、REかは仕様で決めてもよい。
【０１０２】
（無線通信システム）
以下、本発明の一実施形態に係る無線通信システムの構成について説明する。この無線通信システムでは、本発明の上記各態様のいずれか又はこれらの組み合わせを用いて通信が行われる。
【０１０３】
図１３は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０４】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０５】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。
【０１０６】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１０７】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１０８】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１０９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１１０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）が適用される。
【０１１３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１４】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。ページングチャネルの有無を通知する共通制御チャネルは下りＬ１／Ｌ２制御チャネル（例えば、ＰＤＣＣＨ）にマッピングされ、ページングチャネル（ＰＣＨ）のデータはＰＤＳＣＨにマッピングされる。下りリンク参照信号、上りリンク参照信号、物理下りリンクの同期信号が別途配置される。
【０１１５】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１１６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認情報などが伝送される。ＰＲＡＣＨにより、セルとの接続確立のためのランダムアクセスプリアンブルが伝送される。
【０１１７】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１１８】
（無線基地局）
図１４は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１１９】
下りリンクにより無線基地局１０からユーザ端末２０に送信されるユーザデータは、上位局装置３０から伝送路インターフェース１０６を介してベースバンド信号処理部１０４に入力される。
【０１２０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１２１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２２】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２３】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１２４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１２５】
なお、送受信部１０３は、マルチビームアプローチとシングルビームアプローチの両方を適用可能に構成され、アナログビームフォーミングを提供するアナログビームフォーミング部を備える。マルチビームアプローチで同期信号及び又はページングチャネルを送信する場合、１つ又は連続する複数シンボルを１単位としてビームを変更（sweeping）するビームsweepingを適用する。ビームフォーミング部は、本発明に係る技術分野での共通認識に基づいて説明されるビームフォーミング回路（例えば、位相シフタ、位相シフト回路）又はビームフォーミング装置（例えば、位相シフト器）から構成することができる。また、送受信アンテナ１０１は、例えばアレーアンテナにより構成することができる。
【０１２６】
送受信部１０３は、ビームパターン測定用の参照信号に関する設定情報（ＢＲＳ  ｃｏｎｆｉｇ．）及び／又はビームインデックスに関する情報を送信してもよい。
【０１２７】
図１５は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１２８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。ベースバンド信号処理部１０４は、デジタルビームフォーミングを提供するデジタルビームフォーミング機能を備える。
【０１２９】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３０】
制御部３０１は、例えば、送信信号生成部３０２による信号（同期信号、ＭＩＢ、ページングチャネルに対応した信号を含む）の生成や、マッピング部３０３による信号の割り当てを制御する。上記第１の態様から第７の態様で説明した、同期信号及び又はＭＩＢに割り当てたリソース（シンボル、周波数リソース）に紐づけられたページングチャネルへの割り当てリソース（シンボル、周波数リソース）を制御する。また、制御部３０１は、受信信号処理部３０４による信号の受信処理や、測定部３０５による信号の測定を制御する。
【０１３１】
制御部３０１は、システム情報（ＳＩＢ，ＭＩＢ等）、ＰＤＳＣＨで送信される下りデータ信号（ページングメセージのＰＣＨを含む）、ＰＤＣＣＨ及び／又はＥＰＤＣＣＨで伝送される下り制御信号のスケジューリング（例えば、リソース割り当て、ページングメッセージの有無を通知する共有制御チャネル、マルチビームアプローチ又はシングルビームアプローチを通知する信号）を制御する。制御部３０１は、同期信号及び又はＭＩＢ、ページングチャネル（ページングメッセージの有無を通知する信号、ページングメッセージ）をスケジューリングし、同期信号及び又はＭＩＢとページングチャネルを第１の態様から第７の態様で説明したいずれかのリソース配置又はそれらの任意の組み合わせにしたがってスケジューリングし、各信号のリソース配置を制御する。例えば、同期信号及び又はＭＩＢとページングチャネルの少なくとも一部（ページングメッセージの有無を通知する信号）を同一シンボルに割り当てる（第１の態様）。
【０１３２】
また、制御部３０１は、同期信号及び／又はＭＩＢが含まれる全てのサブフレームでページングチャネルも送信するのではなく、その中の一部のサブフレームのみでページングチャネルを送信するようにスケジューリングしてもよい（第２の態様）。
【０１３３】
また、制御部３０１は、同期信号及び／又はＭＩＢが含まれるサブフレーム以外のサブフレームでページングチャネルを送信するが、サブフレームは異なっていても同期信号及び／又はＭＩＢが割り当てられたシンボル（シンボルインデックス）とページングチャネル（少なくとも一部）が割り当てられたシンボル（シンボルインデックス）とを一致させるようにスケジューリング及びリソース配置を制御する（第３の態様）。
【０１３４】
また、制御部３０１は、ページングメッセージ（ＰＣＨ）とそれをスケジューリングする共通制御チャネルとを、異なるシンボル上又は異なるサブフレーム上で送信可能とするようにリソース配置を制御する（第４の態様に示す（１）から（４））。
【０１３５】
また、制御部３０１は、複数のユーザ端末がページングメッセージを読みに行くリソースを時間方向（サブフレーム又はスロット）で分散し、及び又は周波数方向で分散するようにリソース配置を制御してもよい（第５の態様）。
【０１３６】
また、制御部３０１は、ページングメッセージ（ＰＣＨ）のリソースを、同期信号及び又はＭＩＢ等に対して相対位置を仕様で固定してもよい。又はページングメッセージ（ＰＣＨ）のリソースを同期信号及び又はＭＩＢ等を使ってユーザ端末へ指示するようにしてもよい。さらに、ページングメッセージ（ＰＣＨ）のリソースをＵＥ−ＩＤ等に紐づけて異なるユーザ端末が異なるＰＣＨリソース位置を想定できるようにしてもよい（第６の態様）。
【０１３７】
また、制御部３０１は、ＭＩＢ又はＭＩＢに相当するシステム情報を含む共通制御チャネルの中でマルチビームアプローチ又はシングルビームアプローチを通知する信号を含めるようにスケジューリング及びリソース配置を制御してもよい（第７の態様）。また、制御部３０１は、上りデータ信号に対する再送制御の要否を判定した結果などに基づいて、下り制御信号（例えば、送達確認情報など）や下りデータ信号の生成を制御する。また、制御部３０１は、同期信号（例えば、ＰＳＳ（Primary  Synchronization  Signal）／ＳＳＳ（Secondary  Synchronization  Signal））や、ＣＲＳ、ＣＳＩ−ＲＳ、ＤＭＲＳなどの下り参照信号のスケジューリングの制御を行う。
【０１３８】
また、制御部３０１は、ＰＵＳＣＨで送信される上りデータ信号、ＰＵＣＣＨ及び／又はＰＵＳＣＨで送信される上り制御信号（例えば、送達確認情報）、ＰＲＡＣＨで送信されるランダムアクセスプリアンブルや、上り参照信号などのスケジューリングを制御する。
【０１３９】
制御部３０１は、ベースバンド信号処理部１０４によるデジタルビームフォーミング（例えば、プリコーディング）及び／又は送受信部１０３によるアナログビームフォーミング（例えば、位相回転）を用いて、送信ビーム及び／又は受信ビームを形成するように制御する。
【０１４０】
例えば、制御部３０１は、マルチビームアプローチが適用される場合は、同期信号及び又は報知チャネル、ページングチャネルが含まれるサブフレーム（スイープ期間）において、各シンボルに異なるビームフォーミングを適用してスイープしながら送信するように制御してもよい。
【０１４１】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１４２】
送信信号生成部３０２は、例えば、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ：Channel  State  Information）などに基づいて決定された符号化率、変調方式などに従って符号化処理、変調処理が行われる。また、送信信号生成部３０２は、制御部３０１からの指示に基づいて、ＭＩＢ又はＭＩＢに相当するシステム情報を含む共通制御チャネルの中でマルチビームアプローチ又はシングルビームアプローチを通知する信号を生成する。
【０１４３】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。例えば、ページングチャネルの一部（例えば、ページングメッセージの有無を通知する共通制御チャネル）を同期信号及び／又は報知チャネルが送信されるシンボルと同じシンボルにマッピングする（第１の態様）。このとき、共通制御チャネルの周波数リソースは、同期信号及び／又はＭＩＢがマッピングされる周波数リソース（例えば、中心周波数）を基準にして仕様定められる範囲、又はＲＲＣシグナリングで通知される範囲に制限する。
【０１４４】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１４５】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号や、受信処理後の信号を、測定部３０５に出力する。
【０１４６】
測定部３０５は、受信した信号に関する測定を実施する。測定部３０５は、本発明に係る技術分野での共通認識に基づいて説明される測定器、測定回路又は測定装置から構成することができる。
【０１４７】
測定部３０５は、例えば、受信した信号の受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio））やチャネル状態などについて測定してもよい。測定結果は、制御部３０１に出力されてもよい。
【０１４８】
（ユーザ端末）
図１６は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５０】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１５１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１５２】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。
【０１５３】
送受信部２０３は、ランダムアクセス手順におけるＭｓｇ．１及びＭｓｇ．３の送信、Ｍｓｇ．２及びＭｓｇ．４の受信を制御する。また、送受信部１０３は、ビームパターン測定用の参照信号に関する設定情報（ＢＲＳ  ｃｏｎｆｉｇ．）及び／又はビームインデックスに関する情報を受信してもよい。また、送受信部２０３は、複数のビームグループの中から選択された所定ビームグループに対応するリソースでＭｓｇ．１及び／又はＭｓｇ．３を送信することができる。また、送受信部２０３は、所定ビームグループに対応するリソースでＭｓｇ．２及び／又はＭｓｇ．４を受信することができる。
【０１５４】
図１７は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１５５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５６】
制御部４０１は、ユーザ端末２０全体の制御を実施する。制御部４０１は、本発明に係る技術分野での共通認識に基づいて説明されるコントローラ、制御回路又は制御装置から構成することができる。
【０１５７】
制御部４０１は、例えば、送信信号生成部４０２による信号の生成や、マッピング部４０３による信号の割り当てを制御する。また、制御部４０１は、受信信号処理部４０４による信号の受信処理や、測定部４０５による信号の測定を制御する。
【０１５８】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認情報など）や上りデータ信号の生成を制御する。
【０１５９】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成するように制御する。
【０１６０】
例えば、制御部４０１は、所定の期間（例えば、スイープ期間）において送信される複数のビームのうち、自分に向けられた少なくとも１つのビームを受信する。
【０１６１】
また、制御部４０１は、ランダムアクセスプリアンブルの送信前に無線基地局から受信する同期信号及び又は報知チャネルの検出結果に応じて決定されるリソースをモニタしてページングチャネルを受信するように受信動作を制御する。
【０１６２】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１６３】
送信信号生成部４０２は、例えば、制御部４０１からの指示に基づいて、送達確認情報やチャネル状態情報（ＣＳＩ）に関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６４】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１６５】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６６】
受信信号処理部４０４は、制御部４０１からの指示に基づいて、無線基地局がビームフォーミングを適用して送信するページングチャネルを受信する。上記第１の態様から第７の態様で説明した通り、受信信号処理部４０４は、同期信号及び又は報知チャネルを検出できたリソース（シンボル、周波数リソース）の検出結果に基づいて、ページングチャネルへの割り当てリソース（シンボル、周波数リソース）を決定する。例えば、同一シンボル上の周波数領域に同期信号及び又は報知チャネル（ＭＩＢ）、ページングメッセージの有無を通知する共通制御チャネル、及びページングメッセージ（ＰＣＨ）がマッピングされている場合は、同期信号及び又は報知チャネルを検出できたシンボルと同一シンボルからページングメッセージの有無を通知する共通制御チャネルをサーチする。上記共通制御チャネルをマッピングする周波数リソースが、同期信号及び／又はＭＩＢがマッピングされる周波数リソースを中心に一定の範囲内又は所定のリソース範囲内に限定されている場合は、その制限されたリソース範囲をサーチする（第１の態様、第２の態様）。
【０１６７】
また、受信信号処理部４０４は、制御部４０１からの指示に基づいて、同期信号及び／又はＭＩＢが含まれるサブフレーム以外のサブフレームでページングチャネルを受信してもよい。この場合、ページングチャネルを含むサブフレームを受信した際に、別のサブフレーム受信時に検出した同期信号及び／又はＭＩＢが割り当てられたシンボル（シンボルインデックス）と同じシンボルからページングチャネル（少なくとも一部）をサーチする（第３の態様）。
【０１６８】
また、受信信号処理部４０４は、制御部４０１からの指示に基づいて、ページングメッセージ（ＰＣＨ）とそれをスケジューリングする共通制御チャネルとを、異なるシンボル上又は異なるサブフレーム上で受信してもよい。ページングメッセージ（ＰＣＨ）とそれをスケジューリングする共通制御チャネルとの対応関係は、第４の態様に示す（１）から（４）の４つのパターンのいずれか又はその組み合わせであってもよく、受信信号処理部４０４は、パターンに応じた受信動作を行う（第４の態様）。
【０１６９】
また、受信信号処理部４０４は、複数のユーザ端末が集中しないように時間方向（サブフレーム、スロット）及び又は周波数方向に分散されたページングメッセージを含むサブフレームを受信し、自端末宛のページングメッセージを該当リソースから検出するように動作する（第５の態様）。
【０１７０】
また、受信信号処理部４０４は、制御部４０１からの指示に基づいて、ページングメッセージ（ＰＣＨ）を読みに行くリソースは、同期信号及び又はＭＩＢ等に対する相対位置から決定してもよい。又は同期信号及び又はＭＩＢ等を使って通知されたリソース位置へページングメッセージ（ＰＣＨ）を読みに行くように動作してもよい。さらに、ＵＥ−ＩＤ等に紐づけられたＰＣＨリソースを計算から求めてもよい（第６の態様）。
【０１７１】
また、制御部４０１及び受信信号処理部４０４は、ＭＩＢ又はＭＩＢに相当するシステム情報を含む共通制御チャネルを検出し、当該共通制御チャネルを介して通知されたマルチビームアプローチ又はシングルビームアプローチに応じてページングチャネルの検出方法を変更する（第７の態様）。
【０１７２】
受信信号処理部４０４は、受信処理により復号された情報を制御部４０１に出力する。受信信号処理部４０４は、例えば、報知情報、システム情報、ＲＲＣシグナリング、ＤＣＩなどを、制御部４０１に出力する。また、受信信号処理部４０４は、受信信号や、受信処理後の信号を、測定部４０５に出力する。
【０１７３】
測定部４０５は、受信した信号に関する測定を実施する。例えば、測定部４０５は、無線基地局１０から送信されたビーム形成用ＲＳを用いて測定を実施する。測定部４０５は、本発明に係る技術分野での共通認識に基づいて説明される測定器、測定回路又は測定装置から構成することができる。
【０１７４】
測定部４０５は、例えば、受信した信号の受信電力（例えば、ＲＳＲＰ）、受信品質（例えば、ＲＳＲＱ、受信ＳＩＮＲ）やチャネル状態などについて測定してもよい。測定結果は、制御部４０１に出力されてもよい。
【０１７５】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１７６】
例えば、本発明の一実施形態における無線基地局、ユーザ端末などは、本発明の無線通信方法の処理を行うコンピュータとして機能してもよい。図１８は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７８】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１７９】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０１８０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１８１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１８２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１８３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１８４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１８５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８６】
また、プロセッサ１００１やメモリ１００２などの各装置は、情報を通信するためのバス１００７で接続される。バス１００７は、単一のバスで構成されてもよいし、装置間で異なるバスで構成されてもよい。
【０１８７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１８８】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８９】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。
【０１９０】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０１９１】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリングやリンクアダプテーションなどの処理単位となってもよい。
【０１９２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、短縮サブフレーム、又はショートサブフレームなどと呼ばれてもよい。
【０１９３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０１９４】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１９５】
なお、上述した無線フレーム、サブフレーム、スロット及びシンボルなどの構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９６】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１９７】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０１９８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９９】
また、情報、信号などは、上位レイヤから下位レイヤ、及び／又は下位レイヤから上位レイヤへ出力され得る。情報、信号などは、複数のネットワークノードを介して入出力されてもよい。
【０２００】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２０１】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０２】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２０３】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２０４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０７】
本明細書で使用する「システム」及び「ネットワーク」という用語は、互換的に使用される。
【０２０８】
本明細書では、「基地局（ＢＳ：Base  Station）」、「無線基地局」、「ｅＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０９】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１０】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１２】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」などの文言は、「サイド」と読み替えられてもよい。例えば、上りチャネルは、サイドチャネルと読み替えられてもよい。
【０２１３】
同様に、本明細書におけるユーザ端末は、無線基地局で読み替えてもよい。この場合、上述のユーザ端末２０が有する機能を無線基地局１０が有する構成としてもよい。
【０２１４】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１５】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１６】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１８】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２１９】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２０】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２２１】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０２２２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２２３】
本出願は、２０１６年８月４日出願の特願２０１６−１５４０１６に基づく。この内容は、全てここに含めておく。
【図１】
2018025946.tif 000003
【図２】
2018025946.tif 000004
【図３】
2018025946.tif 000005
【図４】
2018025946.tif 000006
【図５】
2018025946.tif 000007
【図６】
2018025946.tif 000008
【図７】
2018025946.tif 000009
【図８】
2018025946.tif 000010
【図９】
2018025946.tif 000011
【図１０】
2018025946.tif 000012
【図１１】
2018025946.tif 000013
【図１２】
2018025946.tif 000014
【図１３】
2018025946.tif 000015
【図１４】
2018025946.tif 000016
【図１５】
2018025946.tif 000017
【図１６】
2018025946.tif 000018
【図１７】
2018025946.tif 000019
【図１８】
2018025946.tif 000020
【国際調査報告】
2018025946.tif 000021
2018025946.tif 000022